(57)【要約】      （修正有）【課題】オープン型の最終処分場における浸出水の処理の管理において、放流する直前の処理後の浸出水をモニタする処理水監視水槽を提供する。【解決手段】浸出水処理部で処理済の処理水を一時貯留する処理水槽と放流口との間に位置し、処理水監視水槽７下部で処理水槽と連通し、常時処理水槽から処理水を一定量導入しオーバーフローする内槽８と、前記内槽８の外側に設けて、内槽８からオーバーフローした処理水を受けて放流口へと通じる排水管１１を備える外槽９を備えた監視水処理水槽７を提供する。監視水処理水槽７に一時的に貯留される放流直前の処理水を目視及び嗅覚によって検査できることから、連続して常時放流直前の処理水が監視可能となる。【選択図】図３
0003184269.tif 000002
【実用新案登録請求の範囲】
【請求項１】
最終処分場の埋立地で生じた浸出水の処理及び管理を行う浸出水管理システムにおいて
浸出水処理部で処理された処理水を一時貯留する処理水槽と放流口との間に位置する処理水監視水槽であって、
処理水監視水槽下部で前記処理水槽と連通し、常時、前記処理水槽から処理水を一定量導入しオーバーフローする内槽と、
前記内槽の外側に設けられ、内槽からオーバーフローした処理水を受けて放流口へと通じる排水管を備える外槽を備え、
放流口へと排水されることにより、
放流直前の処理水を目視で監視可能に構成したことを特徴とする処理水監視水槽。
【請求項２】
請求項１記載の処理水監視水槽であって、
前記内槽及び外槽は透明な素材により構成され、
内槽及び外槽の上部は開放端となっていることを特徴とする処理水監視水槽。
【考案の詳細な説明】
【技術分野】
【０００１】
本考案は、オープン型の最終処分場における浸出水の処理を管理する浸出水管理システムにおいて、最終処分場からの浸出水を浸出水処理設備で基準値以下に処理後放流する際に、目視によって監視する処理水監視水槽に関する。
【背景技術】
【０００２】
一般に、屋根のないオープン型の最終処分場においては、降雨によって発生する浸出水の処理が問題となる。特に、廃棄物と接触した雨水による浸出水がそのまま周囲の環境に漏洩することがないように浸出水を処理する必要がある。
【０００３】
最終処分場では、浸出水が漏洩しないように管理され、浸出水から有害物質を除去するか又は無毒化し、安全に処理し、最終的に河川等に放流される。処理後の浸出水は河川等に放流され、周辺の環境中に再度戻されることから、放流直前の処理水から、有害物質の除去、無毒化が行われ、ｐＨ、全窒素、金属含有量等、法律で定められているすべての基準において基準値以下の安全値であることを確認することは非常に重要である。
【０００４】
したがって、ｐＨや重金属濃度等が、国が定めた「水質汚濁に係る排水基準」を満たすことを定期的に測定することは当然必要とされる。しかしながら、この方法では水質をリアルタイムでモニタすることにならず、汚染物質の排出を未然に防ぐことは難しい。
【０００５】
そこで、リアルタイムに浸出水をモニタする水質検査システム及び水質検査方法が開示されている（例えば、特許文献１参照）。特許文献１の発明は、検査対象水に複数種の検査用の試薬を分散させ、分光光度計で測定することにより、検査対象水の水質を検査するものである。
【０００６】
また、長時間にわたって安定した連続的なモニタリングシステムとして、微生物や魚類をバイオセンサとして使用する方法が開示されている（例えば、特許文献２参照）。特許文献２の発明は、ＤＮＡ損傷を受けたときに発光するように形質転換させた遺伝子損傷性物質検出用微生物と、常時ルシフェラーゼ活性を発現するように形質転換させた生育阻害物質検出微生物を用い、試料水中の有害物質を連続的にモニタリングするようにしたものである。
【先行技術文献】
【特許文献】
【０００７】
【特許文献１】特開２００１−０８３１３８号公報
【特許文献２】特開２００５−１０２５７５号公報
【考案の概要】
【考案が解決しようとする課題】
【０００８】
しかしながら、特許文献１の発明は、連続して検出可能ではあるものの、試薬を必要とし、分光光度計で測定することから、コンピュータ等で判定するとしても、機器の管理等が煩雑である。
【０００９】
また、特許文献２の発明は、生物学的に有害なものを検出できるという点で利点はあるが、用いる生物によって鋭敏さが異なるという問題点もある。また、生物を状態良く維持する必要があるため、定期的に管理しなければならず煩雑である。
【００１０】
さらに、これら先行技術はどちらも分光光度計等による測定値で表示されることから、停電時等、測定が通常のように行えない状況や、システムが正常に作動しない状況に備える必要がある。
【００１１】
本考案の目的は、かかる従来技術の課題に鑑み、オープン型の最終処分場における処理後の浸出水を放流するにあたり、放流直前の浸出処理水を監視する処理水監視水槽を提供することにある。
【００１２】
本考案は、放流前の処理水を目視や嗅覚により、簡便にチェック可能な機構とするとともに、廃棄物最終処分場の情報を公開するシステムの一環として、見学者にも放水前の処理水を常に観察することができる監視水槽を提供することを課題とする。
【００１３】
周辺住民をはじめとする第三者が常に処理水を監視できるようにシステムを構築し、放流水の安全性を常時監視できるようにすることは、事業に対する信頼性を高めることにつながる。
【課題を解決するための手段】
【００１４】
第１考案の処理水監視水槽は、最終処分場の埋立地で生じた浸出水の処理及び管理を行う浸出水管理システムにおける処理水監視水槽であって、浸出水処理部で処理済の処理水を一時貯留する処理水槽と放流口との間に位置し、前記処理水監視水槽は、前記処理水槽と処理水監視水槽下部で連通し、常時、処理水槽から処理水を一定量導入しオーバーフローする内槽と、前記内槽の外側に設けて、内槽からオーバーフローした処理水を受けて放流口へと通じる排水管を備える外槽を備え、貯留後の処理水を放流口へと排水することにより、放流直前の処理水を目視で監視可能とすることを特徴とする。
【００１５】
第１考案によれば、浸出水処理部と放流口の間に位置し、内外二槽からなる構造とし、内槽には常に処理水槽から処理後の処理水が供給され、オーバーフローした処理水を外槽から排水する構造としたことにより、常に排水直前の処理水が内槽から外槽に供給されることになる。したがって、常時連続して処理水を目視により監視することが可能となる。
【００１６】
第２考案の処理水監視水槽は、前記内槽及び外槽は透明な素材により構成され、内槽及び外槽の上部は開放端となっていることを特徴とする。
【００１７】
第２考案によれば、内槽及び外槽が透明素材から構成されていることから、外部から容易に監視可能となる。この構成とすることにより、例えば、監視カメラを設置することにより、離れた管理室から常時モニタすることも可能となる。
【００１８】
また、水槽上部は開放端となっていることから、処理水に揮発性の物質等が混入していれば、臭気からも異常を判断することが可能である。
【００１９】
視覚、嗅覚によって、検知可能な構造とすることによって、最終処分場の管理者が容易に処理水を監視できるのみならず、見学者等第三者にも浸出水が安全に処理されていることを実感してもらうことが可能である。
【図面の簡単な説明】
【００２０】
【図１】本考案の一実施形態に係る浸出水管理システムにより管理される浸出水処理設備の構成を示すブロック図である。
【図２】本考案の処理水監視水槽の斜視図である。
【図３】本考案の処理水監視水槽の断面図である。
【考案を実施するための形態】
【００２１】
以下、図面を用いて本考案の実施形態を説明する。図１は、実施形態に係る浸出水管理システムにより管理される浸出水処理設備の構成を示すブロック図である。
【００２２】
図１に示すように、この浸出水処理設備は、最終処分場の埋立地１で生じた浸出水を集水する集水枡２と、集水枡２内の浸出水を一時的に貯留する調整池３と、調整池３から調整槽４を経て移送されてくる浸出水を、環境への放流基準を満たす水質となるような所定の処理を施す浸出水処理部５と、浸出水処理部５からの処理済の浸出水である処理水を放流するために一時的に貯留する処理水槽６、放流直前の処理水を監視するための処理水監視水槽７とを備える。
【００２３】
オープン型の最終処分場の埋立地１では、降雨によって浸出水が生じる。処分場で生じた浸出水は、集水枡２に集められ、調整池３、調整槽４を経て浸出水処理部５に移送される。浸出水処理部５で一日当たりに処理できる浸出水の量には限りがあるため、調整池３、調整槽４で、浸出水処理部５に移送される浸出水の量を調節する。
【００２４】
浸出水処理部５で、一日当たり処理可能な浸出水には限りがあるが、過去１５年の降水量データをもとに降雨量が年間最大量の年のデータから調整池容量は定められており、近年のゲリラ豪雨と言われるような集中豪雨に対しても調整池３で一旦貯留し、浸出水処理部５の処理能力を超えないように設計されている。
【００２５】
浸出水処理部５では、沈砂槽等により浸出水に混入している砂等を除去する物理的処理や、ゼオライト槽、活性炭槽による有害物質の吸着等の処理が行われ、放流基準値以下になるまで処理され、排水基準以下であることは定期的に計測される。また、自動検知装置をシステム内に設置し、水質が設計値を超えると自動的に放流を停止するように設計してもよい。
【００２６】
浸出水処理部５で排水基準値以下に処理された浸出水は処理水槽６を経て放流されるが、本考案の処理水監視水槽７は放流口と処理水槽の間に位置し、浸出水が基準値以下に安全に処理されたか、視覚及び嗅覚によって確認できるように設計されている。
【００２７】
図２は、本考案の処理水監視水槽の一例を示す斜視図、図３は断面図である。処理水監視水槽７は内槽８と内槽の外側に位置し、内槽より大きい外槽９からなる二層構造の水槽とする。
【００２８】
内槽８の中央下部には処理水槽６に連通する処理水供給管１０を備え、ポンプ１１により常に処理水が内槽８に供給される構造となっている。
【００２９】
処理水供給管１０より供給された処理水は、内槽８上端からオーバーフローし、外槽９へと溢れだす。外槽９には内槽８上端よりも下方に排水管１２と接続する排水口が設けられている。したがって、処理水は、排水口の高さまで一定量貯留した後、排水される。
【００３０】
処理水監視水槽７の内槽８及び外槽９は透明なアクリル板で構成されているため、処理水に濁り等異常が生じた場合には、すぐに検知することが可能である。
【００３１】
また、水槽上部は開放されているため、処理水に揮発性の物質が残存していれば、臭気によりすぐに感知することが可能である。
【００３２】
処理水は浸出水処理部によって、ｐＨの調整、有害物質の除去等が行われ、国が定めた「水質汚濁に係る排水基準」を満たすことを定期的に測定し、確認が行われている。しかし、それとともに、視覚、嗅覚といった感覚により常時処理水を監視できる体制として処理水監視水槽を備えておくことは、システムに異常が生じた際であっても、即時検知し得るという点で非常に重要である。
【符号の説明】
【００３３】
１・・・埋立地、２・・・集水枡、３・・・調整池、４・・・調整槽、５・・・浸出水処理部、６・・・処理水槽、７・・・処理水監視水槽、８・・・内槽、９・・・外槽、１０・・・処理水供給管、１１・・・ポンプ、１２・・・排水管
【図１】
0003184269.tif 000003
【図２】
0003184269.tif 000004
【図３】
0003184269.tif 000005